(57)【要約】【課題】  テンプル部とテンプル部の先端に設けられるモダン部とを有する眼鏡において、モダン部の外観や装着感を変更することなく重心バランスを改善することが可能であり、かつバランスウェイト部材の組み付け作業や重心バランス調整作業を容易に行うことが可能な眼鏡を提供する。【解決手段】  テンプル部２とテンプル部２の先端に設けられるモダン部３とを有する眼鏡１０であって、このモダン部３は、モダン部３に設けられた開口部４と、この開口部４に連なる有底のバランスウェイト収納孔５と、このバランスウェイト収納孔５に開口部４を通して着脱可能に収納され、眼鏡１０の重心を調整するバランスウェイト部材６とを備えている。【選択図】      図１
2006163019.tif 000002
【特許請求の範囲】
【請求項１】
テンプル部とテンプル部の先端に設けられるモダン部とを有する眼鏡であって、このモダン部は、
モダン部に設けられた開口部と、
この開口部に連なる有底のバランスウェイト収納孔と、
このバランスウェイト収納孔に上記開口部を通して着脱可能に収納され、眼鏡の重心を調整するバランスウェイト部材と
を備えていることを特徴とする眼鏡。
【請求項２】
上記開口部は、眼鏡のモダン部の後方先端に設けられ、
上記バランスウェイト収納孔は、このモダン部の後方先端に設けられた開口部から概ねモダン部の軸に沿って設けられていることを特徴とする請求項１記載の眼鏡。
【請求項３】
上記バランスウェイト収納孔は、内壁に雌ねじ部を有し、
上記バランスウェイト部材は、バランスウェイト収納孔の内壁の雌ねじ部に螺合する雄ねじ部を外周に有していることを特徴とする請求項１または請求項２のいずれか１項に記載の眼鏡。
【請求項４】
上記バランスウェイト部材は、ドライバー工具でバランスウェイト部材を回動させてバランスウェイト収納孔に螺合させるねじ頭を端部に有していることを特徴とする請求項１ないし請求項３のいずれか１項に記載の眼鏡。
【請求項５】
上記バランスウェイト部材は、タングステン素材からなることを特徴とする請求項１ないし請求項４のいずれか１項に記載の眼鏡。
【請求項６】
上記バランスウェイト部材と上記バランスウェイト収納孔とは、複数の異なる重さのバランスウェイト部材の中から、バランスウェイト部材を選択してバランスウェイト収納孔に収納可能なように形成されていることを特徴とする請求項１ないし請求項５のいずれか１項に記載の眼鏡。
【請求項７】
上記バランスウェイト部材の重さは、概ね眼鏡のレンズの重さと同等に設定されていることを特徴とする請求項１ないし請求項６のいずれか１項に記載の眼鏡。
【発明の詳細な説明】
【技術分野】
【０００１】
本発明は、テンプル部とテンプル部の先端に設けられるモダン部とを有する眼鏡に関するものである。
【背景技術】
【０００２】
一般に、テンプル部とテンプル部の先端に設けられるモダン部とを有する眼鏡は、前方に配置される光学ガラスや光学プラスチックからなるレンズの重量の方が後方に配置されるモダン部の重量よりも大きいために、重心が前方に偏る傾向がある。そのため、このような眼鏡を装着した際には、どうしても前方にずり落ちるという現象が避けられなかった。
【０００３】
そこで最近では、眼鏡の重心を調整するバランスウェイト部材をモダン部に備えた眼鏡が種々提案されている。
【０００４】
例えば、特許文献１には、眼鏡フレームのモダン部を、塑性変形可能な芯金と、芯金上に一列に配列された着脱可能な複数の錘コマと、錘コマのストッパとで構成し、錘コマの貫通孔に芯金を通すことで錘コマを芯金の外周に装着するように構成した眼鏡フレームの技術が開示されている。この眼鏡フレームでは、比重の異なる錘コマの群を用意し、錘コマの交換でモダン部の重さを調整することができるようになっている。
【特許文献１】特開２００４−１８４８１９号公報
【発明の開示】
【発明が解決しようとする課題】
【０００５】
しかしながら、上述の特許文献１の眼鏡フレームの技術では、モダン部のデザインや外観が従来の眼鏡フレームから著しく異なってしまうという不具合があった。
【０００６】
また、効果的に眼鏡の重心バランスをとるために、金属製の錘コマのように比重の大きな材料を採用しようとすると、これらの材料は、熱伝導率が高く、冷たい感触を与えるという問題があるので、上述の眼鏡フレームの技術では、錘コマが外部に露出する結果、耳に直接干渉して、装着感を著しく損なうという不具合があった。
【０００７】
さらに、上述の眼鏡フレームの技術では、眼鏡全体を組み立てたり、錘コマを交換したりする際に、多数の錘コマを芯金に通したり、外したりしなければならず、バランスウェイト部材の組み付け作業やモダン部の重さの調整作業が極めて煩雑になるというという問題があった。
【０００８】
本発明は上記不具合に鑑みてなされたものであり、テンプル部とテンプル部の先端に設けられるモダン部とを有する眼鏡において、モダン部の外観や装着感を変更することなく重心バランスを改善することが可能であり、かつバランスウェイト部材の組み付け作業や重心バランス調整作業を容易に行うことが可能な眼鏡を提供することを課題としている。
【課題を解決するための手段】
【０００９】
上記課題を解決するための本発明は、テンプル部とテンプル部の先端に設けられるモダン部とを有する眼鏡であって、このモダン部は、モダン部に設けられた開口部と、この開口部に連なる有底のバランスウェイト収納孔と、このバランスウェイト収納孔に上記開口部を通して着脱可能に収納され、眼鏡の重心を調整するバランスウェイト部材とを備えたことを特徴とする眼鏡である。
【００１０】
本発明によれば、眼鏡の重心を調整するバランスウェイト部材が、モダン部に設けられたバランスウェイト収納孔に収納されるので、眼鏡の重心を後方に移動させる結果、眼鏡が装着時にずりおちたりしないように眼鏡の重心バランスを改善することができる。
【００１１】
また、左右に重量の異なるバランスウェイト部材を配置することにより、眼鏡の左右のレンズ部の重量が異なることに起因する重心バランスの左右方向の偏りを改善することができるようになる。
【００１２】
また、バランスウェイト部材が、モダン部の内部に位置するバランスウェイト収納孔に収納されて、外部に露出しないので、モダン部の外観や装着感を変更することがなく重心バランスを改善することができるようになる。
【００１３】
また、バランスウェイト部材をモダン部に取り付ける時は、開口部を通してバランスウェイト部材をバランスウェイト収納孔に挿入するだけでよく、バランスウェイト部材の組み付け作業が容易に行える。また、開口部を通して必要に応じてバランスウェイト部材をバランスウェイト収納孔から取り出して交換することができる結果、バランスウェイト部材の重心バランス調整作業が容易に行える。
【００１４】
次に、上記開口部は、眼鏡のモダン部の後方先端に設けられ、上記バランスウェイト収納孔は、このモダン部の後方先端に設けられた開口部から概ねモダン部の軸に沿って設けられていることが好ましい。
【００１５】
このようにすれば、開口部が、眼鏡のモダン部の後方先端に設けられ、バランスウェイト収納孔が、このモダン部の後方先端に設けられた開口部から概ねモダン部の軸に沿って設けられているので、開口部やバランスウェイト部材が、身体に干渉して、眼鏡の装着感が損なわれるようなことがない。
【００１６】
また、上記バランスウェイト収納孔は、内壁に雌ねじ部を有し、上記バランスウェイト部材は、バランスウェイト収納孔の内壁の雌ねじ部に螺合する雄ねじ部を外周に有していることが好ましい。
【００１７】
このようにすれば、この眼鏡が、バランスウェイト収納孔の内壁に設けられた雌ねじ部と、バランスウェイト部材の外周に設けられた雄ねじ部とを螺合させるように構成されているので、バランスウェイト収納孔に対してバランスウェイト部材をより堅固に収納することができるとともに、バランスウェイト収納孔に対するバランスウェイト部材の着脱がより容易になる。
【００１８】
また、上記バランスウェイト部材は、ドライバー工具でバランスウェイト部材を回動させてバランスウェイト収納孔に螺合させるねじ頭を端部に有していることが好ましい。
【００１９】
このようにすれば、バランスウェイト部材の端部に設けられたねじ頭をドライバー工具で操作することにより、バランスウェイト部材を回動させてバランスウェイト収納孔に螺合させることができるので、バランスウェイト収納孔に対するバランスウェイト部材の着脱がさらに容易になる。
【００２０】
また、上記バランスウェイト部材は、タングステン素材からなることが好ましい。
【００２１】
このようにすれば、バランスウェイト部材が、密度の高いタングステン素材で構成されるので、重心をより後方に移動させることができるようになる結果、外観を大きく変更することなくより効果的に重心バランスを改善することができるようになる。
【００２２】
また、上記バランスウェイト部材と上記バランスウェイト収納孔とは、複数の異なる重さのバランスウェイト部材の中から、バランスウェイト部材を選択してバランスウェイト収納孔に収納可能なように形成されていることが好ましい。
【００２３】
このようにすれば、バランスウェイト部材とバランスウェイト収納孔とが、複数の異なる重さのバランスウェイト部材の中から、バランスウェイト部材を選択してバランスウェイト収納孔に収納可能なように形成されているので、バランスウェイト部材を交換して重心バランスを改善することがより容易になる。
【００２４】
また、上記バランスウェイト部材の重さは、概ね眼鏡のレンズの重さと同等に設定されていることが好ましい。
【００２５】
このようにすれば、バランスウェイト部材の重さが、概ね眼鏡のレンズの重さと同等に設定されているので、バランスウェイト部材と眼鏡のレンズとがよく釣り合って、眼鏡を安定した姿勢で装着することができるようになる。
【発明の効果】
【００２６】
以上説明したように、本発明によれば、テンプル部とテンプル部の先端に設けられるモダン部とを有する眼鏡において、外観や装着感を変更することがなく重心バランスを改善することができるとともに、バランスウェイト部材の組み付け作業や重心バランス調整作業が容易に行えるという顕著な効果を奏する。
【発明を実施するための最良の形態】
【００２７】
以下、添付図面を参照しながら本発明の好ましい実施の一形態について詳述する。図１は、本発明の実施の形態に係る眼鏡１０の構成を示す斜視図であり、図２は、本発明の実施の形態に係る眼鏡１０の構成を示す側面図である。また、図３は、本発明の実施の形態に係る眼鏡１０のバランスウェイト収納孔５の構成を示す断面図である。
【００２８】
図１と、図２とを参照して、図示の本発明の実施の形態に係る眼鏡１０は、眼鏡本体１と、眼鏡本体１の側方に設けられたテンプル部２と、テンプル部２の先端に設けられるモダン部３とを有する眼鏡である。そして、この眼鏡１０のモダン部３は、モダン部３に設けられた開口部４と、この開口部４に連なるバランスウェイト収納孔５と、このバランスウェイト収納孔５に開口部４を通して着脱可能に収納されたバランスウェイト部材６とを備えている。
【００２９】
上記眼鏡本体１は、左右２つのレンズ部１ａと、それぞれのレンズ部１ａを保持するレンズ支持部１ｂとを備えている。このレンズ部１ａは、本実施形態では、近視や遠視などに対応して光学ガラスもしくは光学プラスチックなどからなる凹レンズあるいは凸レンズが用いられている。これら左右のレンズ部１ａは、一般的には、必ずしも度数が一致しているとは限らず、このように異なる度数の場合は、レンズの厚みと重さが左右で一致しないことになる。そのため、単に前方に重心が偏るだけでなく、左右方向にも重心が偏ることになるが、本実施形態では、後述するバランスウェイト部材６により、これら前後方向、左右方向の重心バランスの偏りが改善され、使用者が不快感に悩まされることがなくなっている。
【００３０】
レンズ支持部１ｂは、２つのレンズ部１ａの縁部を支持して眼鏡本体１を形成する部材であり、本実施形態では、細い部材で強度を高くすることができるものとして軽量金属の合金が用いられ、レンズ部１ａの周縁を支持するように構成され、側方にテンプル取り付け部１ｃを有している。
【００３１】
上記テンプル部２は、眼鏡本体１の側方においてテンプル取り付け部１ｃに設けられたヒンジ１ｄを介して眼鏡本体１に対して折り畳み可能に設けられた細長の棒状もしくは板状の部材であり、人体の頭部のこめかみに沿って装着されるものである。本実施形態では、細長の棒状もしくは板状の形状にも拘わらず十分な強度をもったものとしてレンズ支持部１ｂと同様、軽量金属の合金が採用されている。
【００３２】
上記モダン部３は、テンプル部２の先端に設けられ、人体の耳の基部に沿って装着されるものであり、一般に蔓状に湾曲する形状に形成される。本実施形態では、耳に対する感触を良好ならしめるために、軽量金属よりも熱伝導率が低い合成樹脂でテンプル部２の先端を覆うように設けられ、荷重を集中させることない滑らかな形状に形成されている。
【００３３】
上記開口部４は、バランスウェイト部材６をバランスウェイト収納孔５に導くために眼鏡１０のモダン部３に設けられた小径の孔であり、人体の耳に干渉しないように、また、外から見て目立たないように、モダン部３の後方先端に設けられている。
【００３４】
上記バランスウェイト収納孔５は、開口部４から概ねモダン部３の軸に沿って設けられた有底の細長い孔であり、内壁に雌ねじ部５ａを有している。
【００３５】
上記バランスウェイト部材６は、眼鏡１０の重心を調整するために設けられた細長い棒状の部材であり、本実施形態では、より少ない容積で効果的に重心バランスを後方に移動させるために、金属として高密度のタングステン素材で構成されている。このバランスウェイト部材６は、本実施形態では、さらに概ね眼鏡１０のレンズの重さと同等に設定され、より良く眼鏡１０が前方にずり落ちないようなっている。
【００３６】
また、このバランスウェイト部材６とバランスウェイト収納孔５とは、複数の異なる重さのバランスウェイト部材６の中から、バランスウェイト部材６を選択してバランスウェイト収納孔５に収納可能なように形成されている。すなわち、このバランスウェイト部材６は、図３に示すように、バランスウェイト収納孔５の内壁の雌ねじ部５ａに螺合する雄ねじ部６ａを外周に有しており、また、ドライバー工具でバランスウェイト部材６を回動させてバランスウェイト収納孔５に螺合させるねじ頭６ｂを端部に有している。そして、バランスウェイト部材６が、バランスウェイト収納孔５に開口部４を通して着脱可能に収納されるようになっている。
【００３７】
次に図４を参照して、本発明の実施の形態に係る眼鏡１０の作用について説明する。図４は、本発明の実施の形態に係る眼鏡１０の重心位置の移動を示す説明図であり、Ｗ１は、バランスウェイト部材をモダン部に収容する前の重心の位置を示している。また、Ｗ２は、バランスウェイト部材をモダン部に収容した後の重心の位置を示している。
【００３８】
図４に示すように、本発明の実施の形態に係る眼鏡１０においては、複数の異なる重さのバランスウェイト部材６の群（図示せず）の中から、左右のレンズ部の重量に応じた２つのバランスウェイト部材が、選択されてそれぞれ左右のバランスウェイト収納孔５に収納される。
【００３９】
この時、バランスウェイト部材は、ドライバー工具でバランスウェイト部材６の端部に設けられたねじ頭６ｂが回動され、バランスウェイト部材６の外周に設けられた雄ねじ部６ａ（図３）が、バランスウェイト収納孔５の内壁の雌ねじ部５ａ（図３）に螺合されて、バランスウェイト収納孔５に堅固に収容される。
【００４０】
その結果、重心バランスが後方に移動し、また、左右の重心のアンバランスが改善されて、例えば、Ｗ１の位置からＷ２の位置へと、眼鏡１０の重心が調整され、レンズ部１ａから重心の位置Ｗ２までの距離Ａと重心の位置Ｗ２からモダン部３先端までの距離ＢとがほぼＡ：Ｂ＝１：１に改善される。
【００４１】
以上説明したように、本発明の実施の形態に係る眼鏡１０によれば、眼鏡１０の重心を調整するバランスウェイト部材６が、モダン部３に設けられたバランスウェイト収納孔５に収納されるので、眼鏡１０の重心を後方に移動させる結果、眼鏡１０が装着時にずりおちたりしないように眼鏡１０の重心バランスを改善することができる。
【００４２】
また、左右に重量の異なるバランスウェイト部材６を配置することにより、眼鏡１０の左右のレンズ部１ａの重量が異なることに起因する重心バランスの左右方向の偏りを改善することができるようになる。
【００４３】
また、バランスウェイト部材６が、モダン部３の内部に位置するバランスウェイト収納孔５に収納されて、外部に露出しないので、モダン部３の外観や装着感を変更することがなく重心バランスを改善することができるようになる。
【００４４】
また、バランスウェイト部材６をモダン部３に取り付ける時は、開口部４を通してバランスウェイト部材６をバランスウェイト収納孔５に挿入するだけでよく、バランスウェイト部材６の組み付け作業が容易に行える。また、開口部４を通して必要に応じてバランスウェイト部材６をバランスウェイト収納孔５から取り出して交換することができる結果、バランスウェイト部材６の重心バランス調整作業が容易に行える。
【００４５】
また、本発明の実施の形態に係る眼鏡１０によれば、開口部４が、眼鏡１０のモダン部３の後方先端に設けられ、バランスウェイト収納孔５が、このモダン部３の後方先端に設けられた開口部４から概ねモダン部３の軸に沿って設けられているので、開口部４やバランスウェイト部材６が、身体に干渉して、眼鏡１０の装着感が損なわれるようなことがない。
【００４６】
また、本発明の実施の形態に係る眼鏡１０によれば、この眼鏡１０が、バランスウェイト収納孔５の内壁に設けられた雌ねじ部５ａと、バランスウェイト部材６の外周に設けられた雄ねじ部６ａとを螺合させるように構成されているので、バランスウェイト収納孔５に対してバランスウェイト部材６をより堅固に収納することができるとともに、バランスウェイト収納孔５に対するバランスウェイト部材６の着脱がより容易になる。
【００４７】
また、バランスウェイト部材６の端部に設けられたねじ頭６ｂをドライバー工具で操作することにより、バランスウェイト部材６を回動させてバランスウェイト収納孔５に螺合させることができるので、バランスウェイト収納孔５に対するバランスウェイト部材６の着脱がさらに容易になる。
【００４８】
さらに、バランスウェイト部材６が、密度の高いタングステン素材で構成されるので、重心をより後方に移動させることができるようになる結果、外観を大きく変更することなくより効果的に重心バランスを改善することができるようになる。
【００４９】
そして、バランスウェイト部材６とバランスウェイト収納孔５とが、複数の異なる重さのバランスウェイト部材６の中から、バランスウェイト部材６を選択してバランスウェイト収納孔５に収納可能なように形成されているので、バランスウェイト部材６を交換して重心バランスを改善することがより容易になる。
【００５０】
このようにすれば、バランスウェイト部材６の重さが、概ね眼鏡１０のレンズの重さと同等に設定されているので、バランスウェイト部材６と眼鏡１０のレンズとがよく釣り合って、眼鏡１０を安定した姿勢で装着することができるようになる。
【００５１】
上述した実施の形態は本発明の好ましい具体例を例示したものに過ぎず、本発明は上述した実施の形態に限定されない。
【００５２】
例えば、レンズ部１ａは、本実施形態では、近視や遠視などに対応して光学ガラスもしくは光学プラスチックなどからなる凹レンズあるいは凸レンズが用いられているが、必ずしもこれらの材質、形状に限定されない。曲率がなく度数のない平行平板の形状に形成されたもの、サングラスに用いられるレンズのように着色されたもの、用途に応じた低価格のプラスチックなど、レンズ部１ａの材料、形状などは種々の設計変更が可能である。
【００５３】
レンズ支持部１ｂも、本実施形態では、軽量金属の合金で構成されているが、プラスチック、ステンレスなど、種々の材料が採用可能である。また、本実施形態では、レンズ支持部１ｂが、レンズ部１ａの周縁全体を囲繞するように構成されているが、２つのレンズ部１ａの縁部を支持して眼鏡本体１を形成する部材であれば、レンズ部１ａの上半分だけに設けられるものであっても採用可能であるなど、形状も種々の設計変更が可能である。
【００５４】
上記テンプル部２も、本実施形態では、軽量金属の合金からなる細長の棒状もしくは板状の部材で構成されているが、レンズ支持部１ｂと同様、プラスチック、ステンレスなど、種々の材料が採用可能である。また、形状も幅の広い板状の部材など種々の設計変更が可能である。
【００５５】
上記モダン部３も、図示のように必ずしもテンプル部２と別の部材として構成することに限定されない。テンプル部２の先端に設けられ、人体の耳の基部に沿って装着されるものであればテンプル部２の延長部分としてテンプル部２と同じ部材で一体に形成されることも可能である。
【００５６】
上記開口部４も、必ずしも図示の形状に限定されない。人体の耳に対する干渉が少なければ、モダン部３の内側や外側に設けることも可能であるなど、種々の設計変更が可能である。
【００５７】
バランスウェイト部材６は、本実施形態では、金属のタングステン素材で構成されているが、少ない容積で効果的に重心バランスを後方に移動させることができるものであれば、その他の金属や、高密度のプラスチックなども採用可能である。
【００５８】
また、バランスウェイト部材６の端部に設けられたねじ頭６ｂや、バランスウェイト部材６とバランスウェイト収納孔５とにそれぞれ設けられた雌ねじ部５ａと雄ねじ部６ａとは、必ずしも必須ではなく、バランスウェイト部材６をバランスウェイト収納孔５に圧入する構成としてもよいなど、種々の設計変更が可能である。
【００５９】
その他、本発明の特許請求の範囲内で種々の設計変更が可能であることはいうまでもない。
【図面の簡単な説明】
【００６０】
【図１】本発明の実施の形態に係る眼鏡の構成を示す斜視図である。
【図２】本発明の実施の形態に係る眼鏡の構成を示す側面図である。
【図３】本発明の実施の形態に係る眼鏡のバランスウェイト収納孔の構成を示す断面図である。
【図４】本発明の実施の形態に係る眼鏡の重心位置の移動を示す説明図であり、Ｗ１は、バランスウェイト部材をモダン部に収容する前の重心の位置を示している。また、Ｗ２は、バランスウェイト部材をモダン部に収容した後の重心の位置を示している。
【符号の説明】
【００６１】
２      テンプル部
３      モダン部
４      開口部
５      バランスウェイト収納孔
５ａ    雌ねじ部
６      バランスウェイト部材
６ａ    雄ねじ部
６ｂ    ねじ頭
１０    眼鏡
【図１】
2006163019.tif 000003
【図２】
2006163019.tif 000004
【図３】
2006163019.tif 000005
【図４】
2006163019.tif 000006